(57)【要約】      （修正有）【課題】  一方向に延びる一方の組立足場素子とこれに直交する方向に延びる他方の組立足場素子とを互いに連結せしめる場合には、２つの方向の異なる組立足場素子をコーナー部で単に単管またはクランプで接続しているため構造上強度が弱く、屋根等が形成された大重量の仮設建築物には使用できない欠点があった。【解決手段】  本発明の組立足場は、一方向に延びる一方の組立足場素子４と、これに交叉する方向に延びる他方の組立足場素子５と、これらを互いに連結せしめるコーナー部６とより成る。上記コーナー部においては上記一方及び他方の組立足場素子の垂直支柱が共通とされ、この共通とされた垂直支柱にはこれに設けられた水平ブレスロック手段により支持した上記一方の組立足場素子の横杆ロック手段１３と他方の組立足場素子の水平杆ロック手段１４とが設けられている。【選択図】  図４
2006028865.tif 000002
【特許請求の範囲】
【請求項１】
一方向に延びる一方の組立足場素子と、これに交叉する方向に延びる他方の組立足場素子と、これらを互いに連結せしめるコーナー部とより成り、
上記各組立足場素子が互いに並設した夫々２個の垂直支柱とこの垂直支柱の上端部間に横架した横杆とより成る、互いに隣接して配置した複数の垂直枠と、互いに隣接したこれら垂直枠の上記垂直支柱間を連結する水平杆及び水平ブレスと、上記垂直支柱とこれに対応する水平ブレスの端部間を連結、固定するため上記垂直支柱の側面に設けた水平ブレスロック手段とより成り、
上記コーナー部においては上記一方及び他方の組立足場素子の垂直支柱が共通とされ、この共通とされた垂直支柱にはこれに設けられた水平ブレスロック手段により支持した上記一方の組立足場素子の横杆ロック手段と他方の組立足場素子の水平杆ロック手段とが設けられていることを特徴とする組立足場。
【発明の詳細な説明】
【技術分野】
【０００１】
本発明は組立足場、特に、直角方向に交差する組立足場に関するものである。
【背景技術】
【０００２】
図５は、互いに並設した複数の垂直枠１と、互いに隣接したこれら垂直枠１間を接続する布板２及び筋交い３とより成る従来の組立足場の斜視図を示す（特許文献１）。
【０００３】
【特許文献１】特開平９−１３６５６号公報（図２）
【発明の開示】
【発明が解決しようとする課題】
【０００４】
然しながら、上記のような構成の組立足場は直線状に長く連結したものは製造容易であるが、これを図６に示すように一方向に延びる一方の組立足場素子４と、これに直交する方向に延びる他方の組立足場素子５と、これらを互いに連結せしめるコーナー部６とにより構成する場合には、２つの方向の異なる組立足場素子４，５をコーナー部６で単に単管またはクランプで接続している。
【０００５】
従ってこのコーナー部は構造上強度が弱く、屋根等が形成された大重量の仮設建築物には使用できない欠点があった。
【０００６】
本発明は上記の欠点を除くようにしたものである。
【課題を解決するための手段】
【０００７】
本発明の組立足場は、一方向に延びる一方の組立足場素子と、これに交叉する方向に延びる他方の組立足場素子と、これらを互いに連結せしめるコーナー部とより成り、上記各組立足場素子が互いに並設した夫々２個の垂直支柱とこの垂直支柱の上端部間に横架した横杆とより成る、互いに隣接して配置した複数の垂直枠と、互いに隣接したこれら垂直枠の上記垂直支柱間を連結する水平杆及び水平ブレスと、上記垂直支柱とこれに対応する水平ブレスの端部間を連結、固定するため上記垂直支柱の側面に設けた水平ブレスロック手段とより成り、上記コーナー部においては上記一方及び他方の組立足場素子の垂直支柱が共通とされ、この共通とされた垂直支柱にはこれに設けられた水平ブレスロック手段により支持した上記一方の組立足場素子の横杆ロック手段と他方の組立足場素子の水平杆ロック手段とが設けられていることを特徴とする。
【発明の効果】
【０００８】
本発明の組立足場によれば、互いに交叉する方向に延びる２つの組立足場素子を簡単容易に接続でき、また、そのコーナー部は構造上強度が極めて大きくなる。
【発明を実施するための最良の形態】
【０００９】
以下図面によって本発明の実施例を説明する。
【実施例１】
【００１０】
図１はコーナー部６における一方向に延びる一方の組立足場素子４の詳細を示し、７，７は各垂直枠１を形成する垂直支柱、８はこの垂直支柱７，７の上端部間に横架した布板取付杆、９，９は互いに隣接する垂直枠１の垂直支柱７間を連結する水平杆を示し、本発明においては図２及び図３に示すように上記コーナー部６において上記他方向に延びる他方の組立足場素子５に面するようになる縦方向に離間した２個の垂直支柱１０，１０を他方の組立足場素子５のコーナー部６における垂直支柱と共通ならしめ、この共通の各垂直支柱１０に水平ブレス（図示せず）固定用の突出ピン１１を有する受け座１２を固定し、この受け座１２によって上記一方の組立足場素子４の横杆ロック手段１３及び、上記他方の組立足場素子５の水平杆ロック手段１４とを支持せしめる。
【００１１】
このロック手段１３及び１４には夫々上記垂直支柱１０の上端部に固定したロック手段固定座１５にボルト１６を介してその上部袖片が固定される垂直板１７と、上記垂直板１７の中間部に固定した水平Ｘ方向とＹ方向に延びる水平板１８と、この水平板１８の上記Ｘ方向に延びる部分において上方に垂設した、水平ブレス固定用突設ピン１９と、上記Ｙ方向に延びる部分に形成した、上記水平ブレス固定用突出ピン１１が挿入されるピン孔２０とを有せしめる。
【００１２】
なお、上記一方の組立足場素子４の横杆ロック手段１３と同様のものを図１に示すように他の垂直支柱７に設けても良いことは勿論である。
【００１３】
本発明の組立足場は上記のような構成であるから、コーナー部６において縦方向に離間した互いに隣接した２本の垂直支柱１０，１０に固定した突設ピン１１に水平板１８のピン孔２０が挿入されるよう上記垂直板１７を垂直支柱１０に沿って下降せしめた後、その袖片を上記垂直支柱１０の上部に固定した固定座１５にボルト１６によって固定せしめれば、図４に示すように上記コーナー部６において一方向に延びる一方の組立足場素子４に他方向に延びる他方の組み立て足場素子５の水平杆２１を極めて容易に取り付けることができる。
【００１４】
上記のように本発明の組立足場によれば互いに交叉する方向に延びる２つの組立足場素子を容易に接続でき、また、そのコーナー接続部の構造上の強度が極めて大きくなる。
【図面の簡単な説明】
【００１５】
【図１】本発明の組立足場のコーナー部における一方の組立足場素子の斜視図である。
【図２】図１に示す横杆ロック手段の斜視図である。
【図３】図１に示す一方の組立足場素子に取り付ける他方の組立足場素子の水平杆ロック手段の斜視図である。
【図４】本発明の組立足場の斜視図である。
【図５】従来の一方向に延びる組立足場の斜視図である。
【図６】従来の直交する方向に延びる組立足場の斜視図である。
【符号の説明】
【００１６】
１  枠
２  布板
３  筋交い
４  組立足場素子
５  組立足場素子
６  コーナー部
７  垂直支柱
８  布板取付杆
９  水平杆
１０  垂直支柱
１１  突出ピン
１２  受け座
１３  横杆ロック手段
１４  水平杆ロック手段
１５  ロック手段固定座
１６  ボルト
１７  垂直板
１８  水平板
１９  突設ピン
２０  ピン孔
２１  水平杆
【図１】
2006028865.tif 000003
【図２】
2006028865.tif 000004
【図３】
2006028865.tif 000005
【図４】
2006028865.tif 000006
【図５】
2006028865.tif 000007
【図６】
2006028865.tif 000008